(57)【要約】      （修正有）【課題】絵柄が印刷されたシールが傷つくのを防止することの可能なモバイルバッテリーおよび樹脂シートを提供する。【解決手段】モバイルバッテリー１は、平坦面１１Ａを有する電池本体部１１と、接着剤１２もしくは粘着剤１３を介して平坦面１１Ａに貼り合わされた光透過性のシート状樹脂基材１４とを備えている。シート状樹脂基材１４には、平坦面１１Ａ側の面に印刷層１５が施されている。これにより、印刷層１５は、シート状樹脂基材１４によって保護される。【選択図】図１
0003207972.tif 000002
【実用新案登録請求の範囲】
【請求項１】
平坦面を有する電池本体部と、
接着剤もしくは粘着剤を介して前記平坦面に貼り合わされた光透過性のシート状樹脂基材と
を備え、
前記シート状樹脂基材には、前記平坦面側の面に印刷が施されている
モバイルバッテリー。
【請求項２】
前記シート状樹脂基材は、アクリル基材、ＰＰ、透明ＡＢＳまたはＰＣである
請求項１に記載のモバイルバッテリー。
【請求項３】
前記電池本体部を前記平坦面の法線方向から眺めたときに、前記平坦面は、前記電池本体部と略同じ大きさであり、
前記シート状樹脂基材は、前記平坦面全体に貼り合わされている
請求項１または請求項２に記載のモバイルバッテリー。
【請求項４】
電池本体部の平坦面に貼り合わせるための樹脂シートであって、
前面および裏面を有する光透過性のシート状樹脂基材と、
前記シート状樹脂基材の裏面に印刷された印刷層と、
前記印刷層を覆う粘着層もしくは接着層と、
前記粘着層もしくは前記接着層を覆うとともに前記粘着層もしくは前記接着層から剥離可能な保護層と
を備えた
樹脂シート。
【考案の詳細な説明】
【技術分野】
【０００１】  本考案は、モバイルバッテリーおよび樹脂シートに関する。
【背景技術】
【０００２】  スマートフォンなどの携帯端末では、インターネット通信やＧＰＳ（Ｇｌｏｂａｌ  Ｐｏｓｉｔｉｏｎｉｎｇ  Ｓｙｓｔｅｍ，ＧＰＳ、全地球測位システム）などの電力消費量の高い機能が設けられている。そのため、外出時に携帯端末がバッテリー切れにより使用不可となるのを避けるために、モバイルバッテリーを携帯端末とは別に携帯するユーザが増えてきている。
【考案の概要】
【考案が解決しようとする課題】
【０００３】  最近、モバイルバッテリーに、キャラクタなどの絵柄が印刷されたシールを貼り付けて楽しむユーザが増えてきている。しかし、シールの絵柄は傷つきやすい。本考案は、かかる問題点に鑑みてなされたもので、その目的は、絵柄が傷つくのを防止することの可能なモバイルバッテリーおよび樹脂シートを提供することにある。
【課題を解決するための手段】
【０００４】  本考案の一実施の形態のモバイルバッテリーは、平坦面を有する電池本体部と、接着剤もしくは粘着剤を介して平坦面に貼り合わされた光透過性のシート状樹脂基材とを備えている。シート状樹脂基材には、平坦面側の面に印刷（印刷層）が施されている。【０００５】  本考案の一実施の形態の樹脂シートは、前面および裏面を有する光透過性のシート状樹脂基材と、シート状樹脂基材の裏面に印刷された印刷層と、印刷層を覆う粘着層もしくは接着層と、粘着層もしくは接着層を覆うとともに粘着層もしくは接着層から剥離可能な保護層とを備えている。【０００６】  本考案の一実施の形態のモバイルバッテリーおよび樹脂シートでは、シート状樹脂基材の裏面に印刷（印刷層）が施されている。これにより、印刷（印刷層）は、シート状樹脂基材によって保護される。
【考案の効果】
【０００７】  本考案の一実施の形態のモバイルバッテリーおよび樹脂シートによれば、シート状樹脂基材の裏面に印刷（印刷層）が施されているので、印刷（印刷層）の絵柄が傷つくのを防止することができる。
【図面の簡単な説明】
【０００８】
【図１】本考案の一実施形態のモバイルバッテリーの斜視構成図である。
【図２】図１のモバイルバッテリーの分解斜視構成図である。
【図３】本考案の一実施形態の樹脂シートの斜視構成図である。
【考案を実施するための形態】
【０００９】  以下、本考案を実施するための形態について、図面を参照して詳細に説明する。以下の説明は本考案の一具体例であって、本考案は以下の態様に限定されるものではない。また、本考案は、各図に示す各構成要素の配置や寸法、寸法比などについても、それらに限定されるものではない。
【００１０】［構成］
本考案の一実施の形態に係るモバイルバッテリー１の構成について説明する。図１は、モバイルバッテリー１の斜視構成を表したものである。図２は、モバイルバッテリー１の分解斜視構成を表したものである。モバイルバッテリー１は、平坦面１１Ａを有する電池本体部１１と、接着剤１２もしくは粘着剤１３を介して平坦面１１Ａに貼り合わされた光透過性のシート状樹脂基材１４とを備えている。
【００１１】  電池本体部１１は、充電式の電池である。電池本体部１１は、箱型となっており、上面、底面および側面によって囲まれている。電池本体部１１において、上面および底面のうち少なくとも一方が平坦面となっている。なお、図１、図２では、電池本体部１１の上面および底面のいずれも平坦面となっており、電池本体部１１の上面が平坦面１１Ａを兼ねている場合が例示されている。なお、電池本体部１１の上面の代わりに、電池本体部１１の底面が平坦面１１Ａを兼ねていてもよい。電池本体部１１は、例えば、側面に、スマートフォンなどの携帯端末の充電の際に電力を出力する出力端子１１Ｂと、電池本体部１１自体を充電する際に電力の供給を受ける入力端子１１Ｃと、出力端子１１Ｂから電力を出力するためのスイッチ１１Ｄとを有している。
【００１２】  接着剤１２および粘着剤１３は、電池本体部１１とシート状樹脂基材１４とを互いに固定している。接着剤１２および粘着剤１３は、光透過性の材料によって構成されている。
【００１３】  シート状樹脂基材１４は、光透過性の樹脂材料によって構成されている。シート状樹脂基材１４は、例えば、アクリル基材、ＰＰ（ポリプロピレン）、透明ＡＢＳ（アクリルニトリル  ブタジエン  スチレン）またはＰＣ（ポリカーボネート）である。アクリル基材は、光透過性に優れており、かつ、傷などに強い特徴を有している。シート状樹脂基材１４には、平坦面１１Ａ側の面に印刷（印刷層１５）が施されている。つまり、印刷層１５は、電池本体部１１の平坦面１１Ａと、シート状樹脂基材１４とによって挟まれており、シート状樹脂基材１４によって保護されている。電池本体部１１を平坦面１１Ａの法線方向（垂直方向）から眺めたときに、平坦面１１Ａは、電池本体部１１と略同じ大きさとなっている。シート状樹脂基材１４は、平坦面１１Ａ全体に貼り合わされている。
【００１４】［製作方法］
次に、モバイルバッテリー１の製作方法の一例について説明する。図３は、電池本体部１１の平坦面１１Ａに貼り合わせるための樹脂シート２の斜視構成を表したものである。樹脂シート２は、前面２１Ａおよび裏面２１Ｂを有する光透過性のシート状樹脂基材２１と、シート状樹脂基材２１の裏面２１Ｂに印刷された印刷層２２と、印刷層２２を覆う粘着層２３もしくは接着層２４と、粘着層２３もしくは接着層２４を覆うとともに粘着層２３もしくは接着層２４から剥離可能な保護層２５とを備えている。
【００１５】  シート状樹脂基材２１が、上述のシート状樹脂基材１１に対応しており、例えば、アクリル基材である。印刷層２２が、上述の印刷層１５に対応している。粘着層２３が、上述の粘着剤１３に対応している。接着層２４が、上述の接着剤１２に対応している。
【００１６】  まず、樹脂シート２において、粘着層２３もしくは接着層２４から保護層２５を剥離する。次に、保護層２５の剥離によって露出した粘着層２３もしくは接着層２４の表面を、電池本体部１１の平坦面１１Ａに接触させることにより、樹脂シート２を電池本体部１１の平坦面１１Ａに貼り合わせる。このようにして、上述のモバイルバッテリー１が製作される。
【００１７】［効果］
次に、モバイルバッテリー１および樹脂シート２の効果について説明する。
【００１８】  スマートフォンなどの携帯端末では、インターネット通信やＧＰＳなどの電力消費量の高い機能が設けられている。そのため、外出時に携帯端末がバッテリー切れにより使用不可となるのを避けるために、モバイルバッテリーを携帯端末とは別に携帯するユーザが増えてきている。最近、モバイルバッテリーに、キャラクタなどの絵柄が印刷されたシールを貼り付けて楽しむユーザが増えてきている。しかし、シールの絵柄は傷つきやすい。
【００１９】  一方、本考案では、シート状樹脂基材１１の平坦面１１Ａ側の面（シート状樹脂基材２１の裏面２１Ｂ）に印刷（印刷層１５または印刷層２２）が施されている。これにより、印刷（印刷層１５または印刷層２２）は、シート状樹脂基材１１（シート状樹脂基材２１）によって保護される。その結果、印刷（印刷層１５または印刷層２２）の絵柄が傷つくのを防止することができる。
【００２０】  また、本考案において、シート状樹脂基材１１（シート状樹脂基材２１）がアクリル基材である場合には、シート状樹脂基材１１（シート状樹脂基材２１）の光透過性が非常に優れており、しかも、シート状樹脂基材１１（シート状樹脂基材２１）自体にも傷が付き難い。従って、シート状樹脂基材１１（シート状樹脂基材２１）によって、印刷（印刷層１５または印刷層２２）の美しさが損なわれることがない。
【符号の説明】
【００２１】  １…モバイルバッテリー、２…樹脂シート、１１…電池本体部、１１Ａ…平坦面、１１Ｂ…出力端子、１１Ｃ…入力端子、１１Ｄ…スイッチ、１２…接着剤、１３…粘着剤、１４…シート状樹脂基材、１５…印刷層、２１…シート状樹脂基材、２１Ａ…前面、２１Ｂ…裏面、２２…印刷層、２３…粘着層、２４…接着層、２５…保護層。
【図１】
0003207972.tif 000003
【図２】
0003207972.tif 000004
【図３】
0003207972.tif 000005